(57)【要約】【課題】透光性や通風性に優れるとともに、床材となる棒状床材を確実に位置決めして強固に固定できるバルコニー床を提供する。【解決手段】バルコニー床１を、枠体２と、この枠体２内に平行に配置された複数の棒状の棒状床材３と、棒状床材３を支持する複数の梁金物４とを備えた構成とし、この梁金物４を、板状の梁金物本体４ａと、この梁金物本体４ａに形成されて棒状床材３がその上面を梁金物本体４ａの上端面より上に位置させて嵌め込まれる凹部４ｂと、この凹部４ｂの底部に水平にかつ前記梁金物本体４ａと直交して形成されて、棒状床材３の下面を支持する支持部４ｃとを備えた構成とすることによって、透光性や通風性に優れるとともに、床材となる棒状床材を確実に位置決めして強固に固定できるバルコニー床となる。【選択図】図１
2008050833.tif 000002
【特許請求の範囲】
【請求項１】
建物のバルコニーの床を構成するバルコニー床であって、
矩形枠状の枠体と、この枠体内に、該枠体の長手方向に沿って配置され、かつ、互いに平行な複数の棒状の棒状床材と、前記枠体の短手方向に沿って、かつ、互いに平行に配置されて前記棒状床材を支持する複数の梁金物とを備え、
前記梁金物は、枠体の短手方向に長尺でかつ鉛直に配置された板状の梁金物本体と、この梁金物本体の上端面に梁金物本体の長手方向に所定間隔で形成されて、前記棒状床材がその上面を前記梁金物本体の上端面より上に位置させて嵌め込まれる凹部と、この凹部の底部に水平にかつ前記梁金物本体と直交して形成されて、前記棒状床材の下面を支持する支持部とを備えていることを特徴とするバルコニー床。
【請求項２】
請求項１に記載のバルコニー床において、
前記梁金物本体の上端面に所定間隔で切込みを形成し、隣り合う切込み間に位置する部位を一つおきに梁金物本体に対して直角に折曲することによって、前記凹部と前記支持部とが形成されていることを特徴とするバルコニー床。
【請求項３】
請求項１または２に記載のバルコニー床において、
光の透過率が５０％以上となるように、隣り合う棒状床材の間隔が設定されていることを特徴とするバルコニー床。
【請求項４】
請求項１〜３のいずれか一項に記載のバルコニー床において、
前記棒状床材は、セルロース系微粉粒と樹脂とを混合して押出成形した筒状の表面材と、その内部に挿入された金属製の補強材とを備えていることを特徴とするバルコニー床。
【請求項５】
請求項４に記載のバルコニー床において、
前記棒状床材の端部は、前記枠体から棒状床材の補強材に止着材をねじ込むまたは打ち込むことによって前記枠体に固定されていることを特徴とするバルコニー床。
【発明の詳細な説明】
【技術分野】
【０００１】
本発明は、住宅等の建物のバルコニーの床を構成するバルコニー床に関する。
【背景技術】
【０００２】
バルコニーの床を構成するバルコニー床の一例として特許文献１に記載のものが知られている。このバルコニー床は、複数の小梁と、これら小梁に支持された複数の根太と、根太上に設置された床板とを備えている。
【特許文献１】特開２００４−１５００８３号公報
【発明の開示】
【発明が解決しようとする課題】
【０００３】
ところで、上記のようなバルコニー床においては、複数の小梁上に複数の根太が直交して配置され、その交差部分において根太を小梁に固定する必要があるが、この固定作業の際に、根太は小梁上に載置されているだけなので、根太の小梁に対する位置決めに手間がかかる。特に根太が長くなると、該根太が反り易くなり、さらに位置決めに手間がかかることになる。
また、床板を取り外すとともに、根太の間隔を狭くすることによって、透光性や通風性に優れたバルコニー床を形成できるが、床板のないバルコニー床にした場合、根太は小梁上に載置固定しただけなので、バルコニー床上を歩行しているうちに、根太が転ぶ可能性もある。
【０００４】
本発明は上記事情に鑑みてなされたもので、透光性や通風性に優れるとともに、床材となる棒状床材を確実に位置決めして強固に固定できるバルコニー床を提供することを課題としている。
【課題を解決するための手段】
【０００５】
上記課題を解決するために、請求項１に記載の発明は、例えば図１〜図７に示すように、建物１１のバルコニーの床を構成するバルコニー床１であって、
矩形枠状の枠体２と、この枠体２内に、該枠体２の長手方向に沿って配置され、かつ、互いに平行な複数の棒状の棒状床材３と、前記枠体２の短手方向に沿って、かつ、互いに平行に配置されて前記棒状床材３を支持する複数の梁金物４とを備え、
前記梁金物４は、枠体２の短手方向に長尺でかつ鉛直に配置された板状の梁金物本体４ａと、この梁金物本体４ａの上端面に梁金物本体４ａの長手方向に所定間隔で形成されて、前記棒状床材３がその上面を前記梁金物本体４ａの上端面より上に位置させて嵌め込まれる凹部４ｂと、この凹部４ｂの底部に水平にかつ前記梁金物本体４ａと直交して形成されて、前記棒状床材３の下面を支持する支持部４ｃとを備えていることを特徴とする。
【０００６】
請求項１に記載の発明によれば、矩形枠状の枠体２と、この枠体２内に、該枠体２の長手方向に沿って配置され、かつ、互いに平行な複数の棒状の棒状床材３と、枠体２の短手方向に沿って、かつ、互いに平行に配置されて棒状床材３を支持する複数の梁金物４とを備えているので、棒状床材３，３間によって、透光性や通風性を確保できる。
また、棒状床材３が梁金物４の凹部４ｂに嵌め込まれるとともに、支持部４ｃによって下方から支持されているので、棒状床材３を確実に位置決めして強固に固定できるとともに、バルコニー床１上を歩行する際の棒状床材３の転びを防止できる。
さらに、棒状床材３の上面が梁金物本体４ａの上端面より上方に位置しているので、歩行の際に梁金物本体４ａに接触することがなく、スムーズに歩行できる。
【０００７】
請求項２に記載の発明は、請求項１に記載のバルコニー床において、
前記梁金物本体４ａの上端面に所定間隔で切込みを形成し、隣り合う切込み間に位置する部位を一つおきに梁金物本体に対して直角に折曲することによって、前記凹部４ｂと前記支持部４ｃとが形成されていることを特徴とする。
【０００８】
請求項２に記載の発明によれば、梁金物本体４ａの上端面に所定間隔で形成された切込み間に位置する部位を一つおきに梁金物本体４ａに対して直角に折曲することによって、凹部４ｂと支持部４ｃが形成されているので、該凹部４ｂと支持部４ｃとを板状の梁金物本体４ａから溶接等を行うことなく、容易に形成できる。
【０００９】
請求項３に記載の発明は、請求項１または２に記載のバルコニー床において、
光の透過率が５０％以上となるように、隣り合う棒状床材３，３の間隔が設定されていることを特徴とする。
例えば、棒状床材が光を透過させないものである場合、隣り合う棒状床材の間隔を、棒状床材の幅とほぼ等しくすれば、光の透過率はほぼ５０％になる。隣り合う棒状床材の間隔を棒状床材の幅より大きくすれば、透過率は５０％を超えるが、その場合、棒状床材の間隔は、少なくとも、人の足の幅より小さくすることが必要である。そうでなければ、棒状部材の間に足が挟まってしまうからである。
【００１０】
請求項３に記載の発明によれば、光の透過率が５０％以上となるように、隣り合う棒状床材３，３の間隔が設定されているので、バルコニー床１より下方が明るくなるとともにバルコニー床１を通しての通風性を十分に確保できる。例えば、バルコニー床１の下方にテラス等がある場合に、このテラスが明るくなるとともに、このテラスの上下の通風性を十分に確保できる。
【００１１】
請求項４に記載の発明は、請求項１〜３のいずれか一項に記載のバルコニー床において、
前記棒状床材３は、セルロース系微粉粒と樹脂とを混合して押出成形した筒状の表面材３ａと、その内部に挿入された金属製の補強材３ｂとを備えていることを特徴とする。
【００１２】
請求項４に記載の発明によれば、棒状床材３は、セルロース系微粉粒と樹脂とを混合して押出成形した筒状ものであるので、防水性、防腐性や木質感を付与することができる。
また、押出成形したものであるので、内部に押出成形の際に容易に空洞部を形成でき、軽量化を図ることができるとともに、空洞部（内部）に補強材３ｂが挿入されているので、棒状床材３の補強を行える。
【００１３】
請求項５に記載の発明は、請求項４に記載のバルコニー床において、
前記棒状床材３の端部は、前記枠体２から棒状床材３の補強材３ｂに止着材８をねじ込むまたは打ち込むことによって前記枠体２に固定されていることを特徴とする。
【００１４】
請求項５に記載の発明によれば、棒状床材３が樹脂を含む押出部品であっても、該棒状部材３の端部を、枠体２から棒状床材３の補強材３ｂに止着材をねじ込むまたは打ち込むことによって枠体２に強固に固定することができる。
【発明の効果】
【００１５】
本発明によれば、バルコニー床を、矩形枠状の枠体と、この枠体内に、該枠体の長手方向に沿って配置され、かつ、互いに平行な複数の棒状の棒状床材と、枠体の短手方向に沿って、かつ、互いに平行に配置されて棒状床材を支持する複数の梁金物とを備えているので、棒状床材間によって、透光性や通風性を確保できる。
また、梁金物は、枠体の短手方向に長尺でかつ鉛直に配置された板状の梁金物本体と、この梁金物本体の上端面に梁金物本体の長手方向に所定間隔で形成されて、前記棒状床材がその上面を前記梁金物本体の上端面より上に位置させて嵌め込まれる凹部と、この凹部の底部に水平にかつ前記梁金物本体と直交して形成されて、前記棒状床材の下面を支持する支持部とを備えているので、棒状床材が梁金物の凹部に嵌め込まれるとともに、支持部によって下方から支持されることによって、棒状床材を確実に位置決めして強固に固定できるとともに、バルコニー床上を歩行する際の棒状床材の転びを防止できる。
さらに、棒状床材の上面が梁金物本体の上端面より上方に位置しているので、歩行の際に梁金物本体に接触することがなく、スムーズに歩行できる。
【発明を実施するための最良の形態】
【００１６】
以下図面を参照して本発明の実施の形態について説明する。
図１〜図４は本発明に係るバルコニー床の一例を示すもので、図１は一部破断平面図、図２は一部破断側面図、図３は端面図、図４はＡ−Ａ´線断面図である。
これらの図に示すように、バルコニー床１は、建物のバルコニーの床を構成するものであって、枠体２と、複数の棒状床材３と、複数の梁金物４とを備えている。
【００１７】
枠体２は矩形枠状に形成されたものであり、枠体２の短辺方向に沿う一対の短辺枠材５，５と、枠体２の長辺方向に沿う一対の長辺枠材６，６とによって構成されている。短辺枠材５は、図３および図５に示すように、その両端部が枠体２の内側に向けて折曲された帯板状に形成されており、鉄等の金属によって形成されている。また、折曲された部位は折曲部５ａ，５ａとされている。
長辺枠材６は、図３に示すように、断面Ｌ字状に形成された鉄製のアングル材によって形成されており、その鉛直な一片部の端部は短辺枠材５の折曲部５ａに重ねられている（図５参照）。そして、長辺枠材６の端部から短辺部材５の折曲部５ａに向けてビス７，７をねじ込むことによって、長辺枠材６と短辺枠材５とが接合されている。
【００１８】
前記棒状床材３は、図４に示すように、セルロース系微粉粒と樹脂とを混合して押出成形した四角筒状の表面材３ａと、その内部に挿入された金属製の補強材３ｂとによって構成されている。
前記セルロース系微粉粒は、例えば、廃材等の木材の粗粉砕物、バカスの祖粉砕物、稲藁の粗粉砕物等における各種植物細胞体の原料材粗粉砕物を出発原料とし、これを磨砕処理することによって得ることができる。
また、前記樹脂は、硬質樹脂や軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂が、成形部材を形成するには好適である。また、樹脂は廃材の樹脂から得るようにしてもよい。
【００１９】
このように、表面材３ａはセルロース系微粉粒と樹脂とを混合して押出成形したものであるので、防水性、防腐性や木質感を付与することができる。また、押出成形したものであるので、内部に押出成形の際に容易に空洞部を形成でき、軽量化を図ることができるとともに、空洞部に前記補強材３ｂを挿入することによって、棒状床材３の補強を行える。
前記補強材３ｂは、四角筒状に形成されており、その対向する内壁面には、係合部３ｃ，３ｃが対向して形成されている。係合部３ｃは、断面略Ｃ字状に形成されたものであり、補強材３ｂの長手方向（図４において紙面と直交する方向）に延在している。このような係合部３ｃは、補強材３ｂどうしを連結したり、後述するように、補強材３ｂを枠体２の短辺部材５にビス８によって固定する場合に使用されるものであるが、この係合部３ｃによって補強材３ｂをさらに補強できる。
【００２０】
上記のような構成の棒状床材３は、図１に示すように、前記枠体２内に、該枠体２の長手方向に沿って、かつ、互いに平行に配置されている。棒状床材３の端部は、図１および図５に示すように、枠体２の短辺部材５から棒状床材３の補強材３ｂにビス（止着材）８をねじ込むことによって短辺部材５に固定されている。このビス８は、棒状部材３の補強材３ｂに形成された係合部３ｃにねじ込まれている。
【００２１】
前記梁金物４は、枠体２の短手方向に沿って、かつ、互いに平行に配置されて棒状床材３を支持するものであり、以下のように構成されている。
すなわち、図１および図４に示すように、梁金物４は、枠体２の短手方向に長尺でかつ鉛直に配置された板状の梁金物本体４ａと、この梁金物本体４ａの上端面に梁金物本体４ａの長手方向に所定間隔で形成されて、前記棒状床材３がその上面を梁金物本体４ａの上端面より上に位置させて嵌め込まれる凹部４ｂと、この凹部４ｂの底部に水平にかつ梁金物本体４ａと直交して形成されて、棒状床材３の下面を支持する支持部４ｃとを備えている。
【００２２】
梁金物本体４ａの両端部には、該梁金物本体４ａに対して直角に折曲されてなる折曲部４ｄ，４ｄが形成されており、該折曲部４ｄ，４ｄは互いに逆方向に折曲されている。
前記凹部４ｂは、棒状床材３の幅とほぼ等しい幅を有しており、また、深さは棒状床材３の高さより深くなっている。
前記支持部４ｃは、矩形板状のものであり、梁金物本体４ａに対して全て同一方向に向けて直角に突出している。
このような、凹部４ｂと支持部４ｃとは、梁金物本体４ａの上端面に所定間隔で切込みを形成し、隣り合う切込み間に位置する部位を一つおきに梁金物本体４ａに対して直角に折曲することによって形成されている。
【００２３】
上記のような構成の梁金物４は、図１および図４に示すように、枠体２内に、その短手方向に沿って配置され、両端部の折曲部４ｄ，４ｄを、枠体２の長辺部材６の内面に当接したうえで、該長辺部材６の外面からビス９を折曲部４ｄにねじ込むことによって、枠体２内に固定されている。
また、梁金物４は、枠体２の長手方向に所定間隔で複数（例えば７個）配置され、上記のようにして長辺部材６に固定されている。
さらに、複数の梁金物４は、それらに形成されている凹部４ｂが枠体２の長手方向に沿って一直線上に位置するようにして、枠体２内に配置されている。
【００２４】
そして、棒状床材３は、その途中の所定の７箇所を７個の梁金物４の、一直線上に並んだ凹部４ｂに嵌め込まれることによって、枠体２内に位置決めされている。
また、棒状床材３は、その上面を梁金物本体４ａの上端面より上に位置させて凹部４ｂに嵌め込まれており、支持部４ｃによって下方から支持されている。
そして、棒状床材３は、図１および図４に示すように、ビス１０を支持部４ｃの下面から棒状床材３の補強材３ｂまでねじ込むことによって、該支持部４ｃに強固に固定されている。
上記のようにして、枠体２には、複数（８本）の棒状床材３が所定間隔で互いに平行に配置固定されるが、その場合、光の透過率が５０％以上となるように、隣り合う棒状床材３，３の間隔が設定されている。
具体的には、棒状床材３は光を透過させないものであるので、隣り合う棒状床材３，３の間隔を、棒状床材３の幅とほぼ等しくすることによって、光の透過率をほぼ５０％に設定している。なお、隣り合う棒状部材３，３間には、梁金物４の梁金物本体４ａが露出しているが、該梁金物本体４ａは薄板状のものであるので、光の透過率にはほとんど影響を及ぼさない。
【００２５】
上記のような構成のバルコニー床１は、例えば図７に示すように、建物１１の外面に形成された凹所１２に設置されることによって、バルコニーの床を構成する。凹所１２は２階建ての建物である場合、１階にあるテラスから２階の屋根下面まで延在し、かつ、建物１１の外面側に向けて開口するものである。
そして、凹所１２を形成する３つの壁面には、窓１３，１３やドア１４が設けられており、ドア１４が設けられた壁面と対向する部位が外側に向けて開口している。この開口縁部には手摺１５が設けられている。
凹所１２には、４本の大梁１６が互いに平行に設けられている。これら大梁１６の両端部は凹所１２を形成する対向する壁面に、２階の床より若干下方位置において固定されている。凹所１２には、４枚のバルコニー床１が、その長手方向を大梁１６と直交させて大梁１６上に配置されており、該大梁１６によって下方から支持されている。なお、バルコニー床１は大梁１６に固定されている。
【００２６】
本実施の形態によれば、矩形枠状の枠体２と、この枠体２内に、該枠体２の長手方向に沿って配置され、かつ、互いに平行な複数の棒状床材３と、枠体２の短手方向に沿って、かつ、互いに平行に配置されて棒状床材３を支持する複数の梁金物４とを備えているので、棒状床材間によって、透光性や通風性を確保できる。
また、棒状床材３が梁金物４の凹部４ｂに嵌め込まれるとともに、支持部４ｃによって下方から支持されているので、棒状床材３を確実に位置決めして強固に固定できるとともに、バルコニー床上を歩行する際の棒状床材３の転びを防止できる。
さらに、棒状床材３の上面が梁金物４の上端面より上方に位置しているので、歩行の際に梁金物４に接触することがなく、スムーズに歩行できる。
【００２７】
また、梁金物本体４ａの上端面に所定間隔で形成された切込み間に位置する部位を一つおきに梁金物本体４ａに対して直角に折曲することによって、凹部４ｂと支持部４ｃが形成されているので、該凹部と支持部とを板状の梁金物本体から溶接等を行うことなく、容易に形成できる。
また、光の透過率が５０％以上となるように、隣り合う棒状床材３，３の間隔が設定されているので、バルコニー床１より下方のテラスが明るくなる。
加えて、棒状床材が、セルロース系微粉粒と樹脂とを混合して押出成形した四角筒状ものであるので、防水性、防腐性や木質感を付与することができる。
また、押出成形したものであるので、内部に押出成形の際に容易に空洞部を形成でき、軽量化を図ることができるとともに、空洞部（内部）に補強材３ｂが挿入されているので、棒状床材３の補強を行える。
また、棒状床材３が樹脂を含む押出部品であるが、該棒状部材３の端部を、枠体２から棒状床材３の補強材３ｂにビス８をねじ込むことによって枠体２に強固に固定することができる。
【図面の簡単な説明】
【００２８】
【図１】本発明に係るバルコニー床の一例を示すもので、バルコニー床の一部破断平面図である。
【図２】同、バルコニー床の一部破断側面図である。
【図３】同、バルコニー床の端面図である。
【図４】同、Ａ−Ａ´線断面図である。
【図５】同、図１におけるＸ円部の拡大図である。
【図６】同、梁金物を示す斜視図である。
【図７】同、バルコニー床を建物の凹所に設置した状態を示す平面図である。
【符号の説明】
【００２９】
１  バルコニー床
２  枠体
３  棒状床材
３ａ  表面材
３ｂ  補強材
４  梁金物
４ａ  梁金物本体
４ｂ  凹部
４ｃ  支持部
８  ビス（止着材）
１１  建物
【図１】
2008050833.tif 000003
【図２】
2008050833.tif 000004
【図３】
2008050833.tif 000005
【図４】
2008050833.tif 000006
【図５】
2008050833.tif 000007
【図６】
2008050833.tif 000008
【図７】
2008050833.tif 000009